(57)【要約】本発明はインターネット取引プラットフォームが公開され、当該インターネット取引プラットフォームは、買い手ユーザーが定義したユーザーレッテルを少なくとも一つ発表し駐留するのに用いる個人空間とを備えて、一つ一つの前記ユーザーレッテルに含まれた情報は買い手ユーザーの消費需要を陳述するのに用いる。また、商品情報と当該商品情報が対応する少なくとも一つの商品レッテルを保存するのに用いるデータベースとを備えて、前記商品レッテルに含まれた情報は、前記商品情報が向けた消費需要を陳述するのに用いる。更に、前記データベースから前記個人空間に保存したユーザーレッテルとマッチングした商品レッテル及びそれに対応する商品情報を検索し、当該商品情報を前記個人空間に伝送し駐留するのに用いる検索モジュールとを備えている。それに応じて、本発明はまたインターネット取引プラットフォームに用いる処理方法が公開されている。本発明を実施することによって、買い手ユーザーが提出した模糊消費需要によって最適結果をフィードバックし、散らばった個人検索に対して迅速且つ正確のマッチング結果を提供する。
2015520443.tif 000002
【特許請求の範囲】
【請求項１】
インターネット取引プラットフォームに関する。当該インターネット取引プラットフォームは、
買い手ユーザーが定義したユーザーレッテルを少なくとも一つ発表し駐留するのに用いる個人空間とを備えて、一つ一つの前記ユーザーレッテルに含んだ情報は買い手ユーザーの消費需要を記載するのに用いる。また、
商品情報と当該商品情報が対応する少なくとも一つの商品レッテルを保存するのに用いるデータベースとを備えて、前記商品レッテルに含んだ情報は、前記商品情報が向けた消費需要を陳述するのに用いる。更に、
前記データベースから前記個人空間に保存するユーザーレッテルとマッチングした商品レッテル及びそれに対応する商品情報を検索し、当該商品情報を前記個人空間に伝送し駐留するのに用いる検索モジュールとを備えていることを特徴とするインターネット取引プラットフォーム。
【請求項２】
前記データベースは、また商店情報及び当該商店情報が対応する商店レッテルを少なくとも一つ保存するに用い、前記商店レッテルに含まれた情報は当該商店が向けた消費需要を陳述するのに用いる。また、
前記検索モジュールは、また前記データベースから前記個人空間に保存するユーザーレッテルとマッチングした商店レッテル及びそれに対応する商店情報を検索し、当該商店情報を前記個人空間に伝送し駐留するのに用いることを特徴とする請求項１に記載のインターネット取引プラットフォーム。
【請求項３】
前記商品情報又は前記商店情報は売り手ユーザーがアップロードしたデータによって生成される。また、
一つ又は複数の前記ユーザーレッテルを一つ又は複数の前記商品レッテル又は前記商店レッテルにマッピングする。又は前記商品レッテル又は前記商店レッテルが売り手ユーザーの定義によって生成されることを特徴とする請求項2に記載のインターネット取引プラットフォーム。
【請求項４】
前記個人空間内に駐留する商品情報によって注文書を生成し、当該個人空間が対応する買い手ユーザーの操作によって前記注文書を処理する、又は当該注文書を第三者取引システムに転送し処理するのに用いる注文書モジュールを備えることを特徴とする請求項１に記載のインターネット取引プラットフォーム
【請求項５】
複数の前記個人空間を社交プラットフォームに組み合わるのに用いて、複数の前記個人空間の間にその保存データを共有する社交構築モジュールを備えることを特徴とする請求項1-3の何れか一項に記載のインターネット取引プラットフォーム。
【請求項６】
前記個人空間は、前記買い手がアップロードした個性化情報を保存するのに用いる個人情報保存ユニットを備えることを特徴とする請求項５に記載のインターネット取引プラットフォーム。
【請求項７】
前記個性化情報は、文字、写真、ビデオ、音声、リンク又は他のインターネット社交機能の実現に用いるマルチメディア電子データの中の一種又は多種を含んでいることを特徴とする請求項６に記載のインターネット取引プラットフォーム。
【請求項８】
前記個人空間にまた編集ユニットを含み、前記個性化情報と/又は前記個人空間内に駐留したユーザーレッテル、商品情報又は商店情報を編集又は削除するのに用いて、また、前記個性化情報と/又は前記個人空間内に駐留したユーザーレッテル、商品情報又は商店情報に対するアクセス権限を修正するのに用いることを特徴とする請求項６に記載のインターネット取引プラットフォーム。
【請求項９】
前記個人空間はまた転送ユニットを含み、当該個人空間内に駐留する商品情報/商店情報を他の前記個人空間又は公共ページに転送するのに用いることを特徴とする請求項５に記載のインターネット取引プラットフォーム。
【請求項１０】
インターネットからデータをクローリングするのに用い、そして当該データによって、前記商品情報と/又は前記商店情報を生成するクロールモジュールを備えていることを特徴とする請求項３に記載のインターネット取引プラットフォーム。
【請求項１１】
前記商品情報は、商品の種類、名称、特徴、ブランド、価格、在庫量、割引情報、サプライヤー、写真、ビデオ、相関サイトリンク、歴史取引記録、消費者評価、又は他の当該商品取引属性を示すデータ又はその組合せを含んでいることを特徴とする請求項1、3、４、８、９又は10の何れか一項に記載のインターネット取引プラットフォーム。
【請求項１２】
前記商店情報は、商店の住所、通信方式、説明文面、写真、ビデオ、相関サイトリンク、消費者評価、又は他の当該商品取引属性を示すデータ又はその組合せを含んでいることを特徴とする請求項2、４、８、９又は10の何れか一項に記載のインターネット取引プラットフォーム。
【請求項１３】
前記ユーザーレッテル、前記商品レッテルと前記商店レッテルを収集するのに用いて、そしてその中から人気ユーザーレッテル、人気商品レッテルと人気商店レッテルを統計する統計モジュールを含んでいることを特徴とする請求項2又は3の何れか一項に記載のインターネット取引プラットフォーム。
【請求項１４】
インターネット取引プラットフォームに用いる処理方法に関する。当該方法は、
それぞれデータベース、検索モジュールと個人空間を構築することと、
前記個人空間に買い手ユーザーの定義したユーザーレッテルを少なくとも一つ発表し駐留することとを含み、その中、一つ一つの前記ユーザーレッテルに含んだ情報は買い手ユーザーの消費需要を陳述するのに用いる。また、
前記データベースに商品情報及び当該商品情報が対応する商品レッテルを少なくとも一つ保存したこととを含み、前記商品レッテルに含んだ情報は前記商品が向けた消費需要を陳述するのに用いる。更に、
前記検索モジュールは前記データベースから前記個人空間に保存されたユーザーレッテルにマッチングした商品レッテル及びそれに対応する商品情報を検索し、当該商品情報を前記個人空間に伝送し駐留することとを含んでいることを特徴とするインターネット取引プラットフォームに用いる処理方法
【請求項１５】
前記データベースにまた商店情報及び当該商店情報が対応する商店レッテルを少なくとも一つ保存することとを含み、前記商店レッテルに含んだ情報は当該商店が向けた消費需要を陳述するのに用いる。また、
前記検索モジュールはまた前記データベースから前記個人空間に保存されたユーザーレッテルにマッチングした商店レッテル及びそれに対応した商店情報を検索し、当該商店情報を前記個人空間に伝送し駐留することとを含んでいることを特徴とする請求項14に記載の方法。
【請求項１６】
前記商品情報又は前記商店情報は売り手ユーザーがアップロードしたデータによって生成される。また、
一つ又は複数の前記ユーザーレッテルを一つ又は複数の前記商品レッテル又は前記商店レッテルにマッピングする。又は前記商品レッテル又は前記商店レッテルが売り手ユーザーの定義によって生成されることを特徴とする請求項15に記載の方法。
【請求項１７】
前記個人空間内に駐留する商品情報によって注文書を生成し、そして当該個人空間が対応する買い手ユーザーの操作によって前記注文書を処理する、又は当該注文書を第三者取引システムに転送し処理することを特徴とする請求項14に記載の方法。
【請求項１８】
複数の前記個人空間を社交プラットフォームに組み合わせて、複数の前記個人空間の間にその保存データを共有することを特徴とする請求項14-16の何れか一項に記載の方法。
【請求項１９】
前記個人空間に前記買い手ユーザーがアップロードした個性化情報を保存することを特徴とする請求項18に記載の方法。
【請求項２０】
前記個性化情報は、文字、写真、ビデオ、音声、リンク又は他のインターネット社交機能の実現に用いるマルチメディア電子データの中の一種又は多種を含んでいることを特徴とする請求項19に記載の方法。
【請求項２１】
前記個性化情報と/又は前記個人空間内に駐留したユーザーレッテル、商品情報又は商店情報を編集又は削除することと、
前記個性化情報と/又は前記個人空間内に駐留したユーザーレッテル、商品情報又は商店情報に対するアクセス権限を修正することとを含んでいることを特徴とする請求項20に記載の方法。
【請求項２２】
前記個人空間内に駐留する商品情報/商店情報を他の前記個人空間又は公共ページに転送することとを含んでいることを特徴とする請求項17に記載の方法。
【請求項２３】
前記商品情報と/又は前記商店情報はまたインターネットからクローリングしたデータによって生成することを特徴とする請求項16に記載の方法。
【請求項２４】
前記商品情報は、商品の種類、名称、特徴、ブランド、価格、在庫量、割引情報、サプライヤー、写真、ビデオ、相関サイトリンク、歴史取引記録、消費者評価、又は他の当該商品取引属性を示すデータ又はその組合せを含んでいることを特徴とする請求項14、16、17、20、21、22又は23の何れか一項に記載の方法。
【請求項２５】
前記商店情報は、商店の住所、通信方式、説明文面、写真、ビデオ、相関サイトリンク、消費者評価、又は他の当該商品取引属性を示すデータ又はその組合せを含んでいることを特徴とする請求項15、16、17、21、22又は23の何れか一項に記載の方法。
【請求項２６】
前記ユーザーレッテル、前記商品レッテルと前記商店レッテルを収集し、そしてその中から人気ユーザーレッテル、人気商品レッテルと人気商店レッテルを統計することを特徴とする請求項15に記載の方法。
【発明の詳細な説明】
【技術分野】
【０００１】
本発明はインターネットプラットフォームを利用してインターネット取引を実現する技術に関する。特に、インターネット取引プラットフォーム及びその処理方法に関する。
【背景技術】
【０００２】
従来のインターネット取引システムにおいて、通常のインターネット取引方式はユーザーから起こして、電子商取引のウェブサイトに検索請求を出し、電子商取引のウェブサイトは当該検索請求によって、適当な商品検索結果を返す。それからユーザーは当該商品検索結果から製品を選んで注文書を生じさせ、最後にネットバンク又は他の支払方法を通じてインターネット取引の完成を実現することである。言い換えれば、前記注文書はユーザー側が進んで検索を起こしてから形成されたのである。
【０００３】
このような伝統的インターネット取引方式は典型的な「人が物を探す」ショッピング方法であり、ユーザーにとって、ある個人要望が生じる時、ユーザー自身が各級の商店（サプライヤー、代理店など）類型の異なる又はインターフェースの異なるウェブサイトで、大量の製品検索と収集を完成する必要がある。それから、相関情報について分析を行って初めて最終的に注文書を形成することになる。この過程で、製品情報元が一様でないので、その書式、内容なども一致していない。たとえユーザーは最も個人要望を満足する一番いい結果を得たがるなら、巨大な時間と精力を払って、これらの製品情報について深く分析と対比を行わなければならない。一方、多くの場合、インターネット取引を期待するユーザーが通常、目的性的ではっきりしない消費需要を提出するだけである。例えば、話し言葉で購買製品の大体用途、価格範囲と使用場面などを陳述しているが、既存技術では、このような問題に対する技術解決方案は前記模糊の消費需要によってユーザーに十分精確な結果をフィードバックできないので、ユーザーが繰り返して大量の商品情報から人工でその需要商品を選び続けるという効率の低いステップに苦労してしまう。
【発明の概要】
【０００４】
既存技術における前記欠陥を克服するため、本発明はインターネット取引プラットフォームを提供する。当該インターネット取引プラットフォームは、
【０００５】
買い手ユーザーが定義したユーザーレッテルを少なくとも一つ発表し駐留するのに用いる個人空間とを備え、一つ一つの前記ユーザーレッテルに含んだ情報は買い手ユーザーの消費需要を記載するのに用いる。
【０００６】
商品情報と当該商品情報が対応する少なくとも一つの商品レッテルを保存するのに用いるデータベースとを備えて、前記商品レッテルに含んだ情報は、前記商品情報が向けた消費需要を陳述するのに用いる。また、
【０００７】
前記データベースから前記個人空間に保存するユーザーレッテルとマッチングした商品レッテル及びそれに対応する商品情報を検索し、当該商品情報を前記個人空間に伝送し駐留するのに用いる検索モジュールとを備えている。
【０００８】
それに応じて、本発明はインターネット取引プラットフォームに用いる処理方法を提供する。当該方法は、
【０００９】
それぞれデータベース、検索モジュールと個人空間を構築することと、
【００１０】
前記個人空間に買い手ユーザーの定義したユーザーレッテルを少なくとも一つ発表し駐留することとを含み、その中、一つ一つの前記ユーザーレッテルに含んだ情報は買い手ユーザーの消費需要を陳述するのに用いる。また、
【００１１】
前記データベースに商品情報及び当該商品情報が対応する商品レッテルを少なくとも一つ保存したこととを含み、前記商品レッテルに含んだ情報は前記商品が向けた消費需要を陳述するのに用いる。更に、
【００１２】
前記検索モジュールは前記データベースから前記個人空間に保存されたユーザーレッテルにマッチングした商品レッテル及びそれに対応する商品情報を検索し、当該商品情報を前記個人空間に伝送し駐留すること
とを含んでいる。
【００１３】
本発明が提供するインターネット取引プラットフォーム及びその処理方法は、「レッテル化」技術手段の利用を通して買い手ユーザーの消費需要と具体商品を記載し、そして前記「レッテル化」技術手段の利用を通して具体的な商品の索引と検索を行い、買い手ユーザーが提出した模糊消費需要によって最適結果をフィードバックし、散らばった個人検索に対して迅速且つ正確のマッチング結果を提供する。
【図面の簡単な説明】
【００１４】
以下の図にある非制限性実施例に対する詳しい記載の閲覧参照を通して、本発明の他の特徴、目的と利点が更に明らかになる。
【００１５】
図1は本発明によるインターネット取引プラットフォームの処理方法に用いる具体的な実施方式のフローチャートである。
【００１６】
図２〜図４は図1に示したフローチャートにおける幾つのステップの動作方法の原理示し図である。
【００１７】
図5は本発明によるインターネット取引プラットフォームの具体的な実施方式の構造示し図である。
【００１８】
図6は本発明によるインターネット取引プラットフォームの好ましい具体的な実施方式の構造示し図である。
【００１９】
図の中で同じ又は類似の図印は同じ又は類似の部品を代表する。
【発明を実施するための形態】
【００２０】
もっと良く本発明を解釈説明するため、次は図を参照し本発明について更に詳しい陳述を行う。
【００２１】
まず図１を参照してください。図１は本発明によるインターネット取引プラットフォームに用いる処理方法の具体実施方式のフローチャートであり、当該方法は、
【００２２】
それぞれデータベース、検索モジュールと個人空間を構築するステップS100とを含み、
【００２３】
本具体的な実施方式に示した方法プロセスはステップ100において前記インターネット取引プラットフォームの基本枠組みを形成し、この後の説明の中で、前記データベース、前記検索モジュールと前記個人空間に対して詳しい説明をする。典型的に、前記インターネット取引プラットフォームは、マルチプラットフォームとして使用しやすいB/S枠組み又はC/S枠組みに実施し、B/S枠組みに実施するのが好ましい。そして上記構成に基づき、当該インターネット取引プラットフォームにおける各部分を設計し運行する。
【００２４】
また、前記個人空間に買い手ユーザーの定義したユーザーレッテルを少なくとも一つ発表し駐留するステップ200とを含み、その中、一つ一つの前記ユーザーレッテルに含まれた情報は買い手ユーザーの消費需要を陳述するのに用いる。
【００２５】
典型的に、B/S枠組みにおいて、前記個人空間の形はWeb形式に設計し、ユーザーは各種類の端末から当該個人空間が対応するWebページにアクセスし、そして当該のWebページにおけるインタラクティブインタフェースを通じてインタラクションを行う。通常では、当該Webページは端末におけるブラウザによって、ユーザーに友好的なデータ表示インターフェース及びインタラクションインターフェースを提供するように解析し運行される。前記端末は、Windowsオペレーティングシステム、Linuxオペレーティングシステム又はMacOSをインストールしたパソコン端末を含んでいるが、それだけでは限らない。C/S枠組みにおいて、前記個人空間の形はユーザー端末で解析し運行できるページ形に設計される。前記ユーザー端末はモバイル端末又はマルチメディア端末の中にインストールされる。その中、前記モバイル端末は、例えば、Symbian、WindowsMobile、iOS、Android、Maemo、WebOS、PalmOS又はBlackberryOSなど端末オペレーティングシステムをインストールした知能端末である。前記マルチメディアは、例えばインターネットテレビなどである。
【００２６】
更に、ユーザーが当該Webページにある入力インターフェースを利用してユーザーレッテルを少なくとも一つカスタマイズできる。一つ一つの前記ユーザーレッテルに含まれた情報は前記買い手ユーザーの消費需要を陳述するのに用いる。例を挙げて説明するが、ある応用場面で、買い手ユーザーの消費需要は一歳の嬰児食品を購買するものとする。嬰児粉ミルク、嬰児ベイフェン、嬰児ビタミン食品などを含むが、従来のキーワード検索方式を取るなら、前記三種類の食品に対して、ユーザーが少なくとも三回サーチして初めて購買しようとする相応食品を見つける。そしてサーチする時提供するキーワードが常用キーワード範囲に入って初めてサーチの正確率を提供できる。典型的に、本発明によって提供する実施例において当該買い手ユーザーが総括的な陳述で商品検索を行うことを許すが、前記総括的な陳述はつまりステップS200に関するユーザーレッテルであり、例えば、当該買い手ユーザーが論理的で合理的にユーザーレッテル「一歳ベビー」と「食品」を使って自分の消費需要を陳述し、前記ユーザーレッテルをバックグラウンドが当該ユーザーレッテルを調達使用するように前記個人空間に発表し駐留する。通常、前記ユーザーレッテルに含まれたキーワード情報は十分総括的に前記買い手ユーザーの消費需要を陳述できる。前記買い手ユーザーが多種の消費需要がある場合、一つの消費需要に単独に一組適当なユーザーレッテルを提供することが考えられる。例えば、前記買い手ユーザーがまたユーザーレッテル「輸入冷蔵庫」と「3000元以下」を使って、「3000元以下の輸入冷蔵庫」という家庭電器の消費需要をサーチし購買しようとすることが陳述できる。特に指摘したいことは、前記ユーザーレッテル及びそれに含まれた情報は前記買い手ユーザーが自分で定義するもので、典型的に、前記買い手ユーザーが自然意義がある言葉を入力し前記ユーザーレッテルを構成する。
【００２７】
更に、前記データベースに商品情報及び当該商品情報が対応する少なくとも一つの商品レッテルを保存するステップS300とを含み、前記商品レッテルに含まれた情報は前記商品情報が向けた消費需要を陳述するのに用いる。
【００２８】
具体的、前記データベースは公知技術で実現できる。一つの実施例の中で、当該データベースは前記インターネット取引プラットフォーム内に集積するが、もう一つの実施例の中で、当該データベースはインターネットに分布した複数のデータベースシステムから組成する。前記ユーザーレッテルと類似するように、前記商品レッテルに含まれた情報は論理的で合理的に当該商品レッテルが対応する商品情報が向けた消費需要を十分に表現できる。例えばある「嬰幼児粉ミルク」の商品情報の場合、それが向けたのは幼児食品を購買しようとする買い手ユーザーの消費需要であるので、合理的に当該「嬰幼児粉ミルク」商品情報を「嬰児食品」と/又は「一歳ベビー」など商品レッテルに設置できる。これで当該「嬰幼児粉ミルク」が向けた消費需要を表現するのに用いる。典型的に、自然意義のある言葉で前記商品レッテルを構成する。
【００２９】
更にまた、前記検索モジュールは前記データベースから前記個人空間に保存したユーザーレッテルにマッチングした商品レッテル及びそれに対応する商品情報を検索し、当該商品情報を前記個人空間に伝送し駐留するステップS400とを含み、
【００３０】
具体的に、当該検索モジュールは前記データベースにアクセスでき、そして予め作った索引などにアクセスする公知の方法を通して、当該データベースから前記個人空間に保存したユーザーレッテルにマッチングした商品レッテルを検索する。例えば、ユーザーレッテル「一歳ベビー」によって完全マッチングを行い、商品レッテル「一歳ベビー」及びそれに対応した多種類の商品情報を探し求める。又はユーザーレッテル「一歳ベビー」によって模糊マッチングを行い、「嬰幼児」、「嬰児食品」など商品レッテルをユーザーレッテル「一歳ベビー」と類似又は近似する類似レッテルとして判断する。そして「嬰幼児」、「嬰児食品」など商品レッテルが対応した多種商品情報を探し出して、本実施例の実施者が前記完全マッチング又は模糊マッチングのバックグラウンド運行需要を満たすように適当なマッチング規則を自分で定められる。前記検索モジュールが前記完全マッチング又は模糊マッチングを通して、前記ユーザーレッテルによる検索を完成した後、マッチングした商品レッテル及びそれに対応した商品情報を前記個人空間に伝送し駐留させる。典型的、前記買い手ユーザーが前記個人空間が対応するWebページにアクセスする時、既に当該Webインターフェースに発表し記載された商品レッテル及びそれに対応した商品情報を調べられる。
【００３１】
好ましいのは、本具体実施方式が提供した方法プロセスはまた、前記データベースにまた商店情報及び当該商店情報が対応する商店レッテルを少なくとも一つ保存することとを含み、前記商店レッテルに含まれた情報は当該商店が向けた消費需要を陳述するのに用いる。前記検索モジュールはまた前記データベースから前記個人空間に保存されたユーザーレッテルにマッチングした商店レッテル及びそれに対応した商店情報を検索し、当該商店情報を前記個人空間に伝送し駐留することを含む。例えば「粉ミルク専売店」という商店情報が提供する入口に入ることを通して、買い手ユーザーが多くの商品「粉ミルク」に関する商品情報をブラウスでき、論理的で合理的に、「粉ミルク専売店」という商店情報が複数の商店レッテルに対応して、それが向けた異なる買い手ユーザーの消費需要を陳述できる。例えば、その商店レッテルは「一歳ベビー」、「粉ミルク」、「嬰児食品」、「嬰幼児」、「二歳ベビー」と「三歳ベビー」などを含む。前記商店レッテルの作成過程は、ステップS300の前記商品レッテルの作成過程を参照でき、また、前記検索モジュールが前記ユーザーレッテルと前記商店レッテルによって行ったマッチング過程は、ステップS400の前記ユーザーレッテルと前記商品レッテルによって行ったマッチング過程を参照でき、ここで再び陳述しないものとする。
【００３２】
前記買い手ユーザーが前記商品情報が対応する商品の取引情況を把握するのに便宜を図るため、前記商品情報は、商品の種類、名称、特徴、ブランド、価格、在庫量、割引情報、サプライヤー、写真、ビデオ、相関サイトリンク、歴史取引記録、消費者評価、又は他の当該商品取引属性を示すデータ又はその組合せを含んでいる。それに応じて、前記買い手ユーザーが前記商店情報が対応する商店の取引情況を把握するのに便宜を図るため、前記商店情報は、商店の住所、通信方式、説明文面、写真、ビデオ、相関サイトリンク、消費者評価、又は他の当該商品取引属性を示すデータ又はその組合せを含んでいる。
【００３３】
説明する必要なのは、前記インターネット取引プラットフォームの正常運行過程の中で、その各部分のデータが更新される場合があることを考えて、一旦前記データベースに新しい商品情報又は商店情報を収録するなら、前記個人空間は前記検索モジュールから伝送した更に多くの商品情報又は商店情報を受け取る可能がある。ステップS200、ステップS300とステップS400は前記インターネット取引プラットフォームの実際運行情況によって、時間上では離散的に並行運行できるが、全くステップS200からステップS400までの執行順序に従うわけではない。
【００３４】
好ましいのは、一つの実施例の中で、前記商品情報又は前記商店情報の源は売り手ユーザーがアップロードしたデータによって生成し、前記売り手ユーザーが調達使用するように、前記データベースが相応のアップロードインターフェースを提供し、前記データをアップロードする。同時に、選択的に、前記商品情報又は前記商店情報は売り手ユーザーがアップロードしたデータによって生成された後、当該インターネット取引プラットフォームの利用者（売り手ユーザー、買い手ユーザー又はプラットフォーム管理員などを含む）が一つ又は複数の前記ユーザーレッテルを一つ又は複数の前記商品レッテル又は前記商店レッテルにマッピングする。又は前記商品レッテル又は前記商店レッテルが売り手ユーザーの定義によって生成される。この設計方法の利点は、売り手ユーザーが自由的にそのアップロードした商品情報又は商店情報が向ける消費需要（前記商品レッテル又は前記商店レッテルをカスタマイズすることを通して）を定義できるし、当該インターネット取引プラットフォームの利用者から商品情報又は商店情報が向ける消費需要を完全し精確させることもできる。前記個人空間に前記買い手ユーザーに示した商品情報又は商店情報をもっと正確にするように、前記検索モジュールを更に精確にマッチングさせるのに便宜を図る。特に指摘したいのは、前記商品レッテル又は前記商店レッテルの形成は一回性わけではなく、前記インターネット取引プラットフォーム内のデータ量とアクセス量の増大に従って時間上では離散的に形成するのである。
【００３５】
買い手ユーザーの注目のホットポイントから考えて、図1に示す方法は以下のようなステップを含むことが好ましい。前記ユーザーレッテル、前記商品レッテルと前記商店レッテルを収集し、そしてその中から人気ユーザーレッテル、人気商品レッテルと人気商店レッテルを統計する。例えば、前記ユーザーレッテル、商品レッテルと前記商店レッテルのある注目度によってスクリーニングする。前記注目度は、例えば前記ユーザーレッテル、商品レッテルと前記商店レッテルのクリック回数、関連商品/商店数量又はその購買成約率、発表頻度などである。このような「人気レッテル」の統計は、前記ユーザーレッテル、前記商品レッテルと前記商店レッテルの具体内容を規範するのに役立つことで、前記商品情報又は前記商店情報の検索成功率を増加するのに役立っている。以上の前提に基づき、前記買い手ユーザーが前記ユーザーレッテルを定義する時、直接人気ユーザーレッテル、人気商品レッテルと人気商店レッテルから要求に合う部分を選んで前記ユーザーレッテルとすることができる。
【００３６】
更に好ましいのは、前記商品情報と/又は前記商店情報はまたインターネットからクローリングしたデータによって生成する。通常の処理方法としては、爬虫プログラムがインターネットを通じて他の電子商取引のシステムから適当なデータを取出し、前記商品情報と/又は前記商店情報を生成することである。このような設計の利点として前記商品情報と/又は前記商店情報のデータ源を拡張することにある。前記インターネット取引プラットフォームが他の電子商取引システムとデータ共有とドッキングをするのに便宜を図る。
【００３７】
前記個人空間に前記商品情報を駐留した後、当該個人空間が対応する買い手ユーザーが当該商品情報に対してもう一歩の操作を行い、一回完全な電子取引過程を行うことを望むだろう。それに応じて、本具体実施方式はまた以下のようなステップを提供する。前記個人空間内に駐留する商品情報によって注文書を生成し、当該個人空間が対応する買い手ユーザーの操作によって前記注文書を処理する、又は当該注文書を第三者取引システムに転送し処理する。前記注文書に対する処理については、現行技術のインターネット取引プラットフォームにおける電子注文書に対して処理する解決方案を参照してください。ここで再び陳述しないものとする。
【００３８】
前文に記載するインターネット取引プラットフォームに用いる処理方法に基づき、その上に更に多くの機能を増加することを考え、例えば多数のユーザー利用需要及び社交需要を満たすには、本具体実施方式が提供する方法は以下のようなステップを含むのが好ましい。複数の前記個人空間を社交プラットフォームに組み合わて、複数の前記個人空間の間にその保存データを共有する。複数の前記個人空間を社交プラットフォームに組み合わせた後、一つ一つ前記個人空間は前記商品情報又は前記商店情報を表示する役割を持つだけではなく、インターネットコミュニティ社交の機能を持っている。典型的に、当該個人空間にそれに対応した買い手ユーザーがアップロードした個性化情報を保存する。前記個性化情報は、文字、写真、ビデオ、音声、リンク又は他のインターネット社交機能の実現に用いるマルチメディア電子データの中の一種又は多種を含んで、前記買い手ユーザーが前記個人空間で個性化装飾をし、インターネット社交をする需要を満たすようにする。その具体的な設計方法は現行技術の中で社交インターネットサービスの解決方案を参照できる。例えば、社交圏、趣味グループなどを提供する。
【００３９】
前記社交プラットフォームにある複数の個人空間はお互いに保存のデータを共有するため、前記個人空間に対する編集と情報秘密保守の需要を考え、当該個人空間は以下のような機能を提供すべきである。前記買い手ユーザーが前記個性化情報と/又は前記個人空間に駐留したユーザーレッテル、商品情報又は商店情報を編集又は削除できるように、相応的なインタラクティブ&middot;インターフェースを提供することと、前記個性化情報と/又は前記個人空間内に駐留したユーザーレッテル、商品情報又は商店情報に対するアクセス権限を修正することである。その他、前記個人空間は更に以下のような機能を提供できる。一つの前記個人空間内に駐留する商品情報/商店情報を他の前記個人空間又は公共ページに転送し、現行社交サイトにある「シェア」機能を参照する。上記の設計は複数の前記個人空間の間で情報交換に対して便宜を図っている。典型的な応用場面としては、個人空間Aの買い手ユーザーAが一組のユーザーレッテルを発表した後、その同一社交圏の友達買い手ユーザーBが当該組のユーザーレッテルをアクセスし、個人空間Bの転送機能を通して適当な商品情報又は商店情報を個人空間A又は前記社交圏の公共情報発表ページに送信し、買い手ユーザーAが中から役立つ情報を選び出すのに便宜を図る。全体的に言えば、前記社交プラットフォームの創立は当該社交プラットフォームに含んだ個人空間が更に正確に効率よく役立つ商品情報又は商店情報を獲得するのに寄与し、役立つ情報検索にかかる平均時間を減らした。
【００４０】
更に良く図1に示した方法プロセスの動作原理を説明するため、図2〜図4を参考してください。図2〜図4は図１に示したフローチャートにおける幾つの動作方法の原理示し図であり、まず図2を参照してください。その中、個人空間100にユーザーレッテル101「一歳ベビー」とユーザーレッテル102「嬰児食物」を発表し駐留して、当該組ユーザーレッテルは個人空間100の対応する買い手ユーザーの消費需要は「一歳の嬰児に適合する食物」であることを陳述するのに用いる。
【００４１】
データベース300に商品情報410「嬰幼児粉ミルク」と商品情報420「中老年粉ミルク」、及び商店情報510「粉ミルク専売店」が保存されていて、それに応じて、商品情報410が対応する２つの商品レッテルは、それぞれ商品レッテル411「一歳ベビー」と商品レッテル412「嬰児食品」である。商品情報420が対応する２つの商品レッテルは、それぞれ商品レッテル421「老年人」と商品レッテル422「成人食品」である。商店情報510が対応する6つの商店レッテルは、それぞれ商店レッテル511「一歳ベビー」、商店レッテル512「嬰児食品」、商店レッテル513「嬰幼児」、商店レッテル514「粉ミルク」、商店レッテル515「三歳ベビー」と商店レッテル516「二歳ベビー」である。
【００４２】
更に、検索モジュール200はデータベース300に保存された商品情報と/又は商店情報の中から、個人空間100に駐留されたユーザーレッテルとマッチングした商品情報と/又は商店情報を検索して個人空間100に送信する。図3を参照してください。検索モジュール200のマッチング処理を通して、商品情報410の対応した商品レッテル411とユーザーレッテル101は全くマッチングする、又は商品レッテル412とユーザーレッテル102との類似性が高いものとすると、検索モジュール200は商品情報410が向けた消費需要は個人空間100のユーザーレッテルに陳述された消費需要と当てはまることを判断して、そして商品情報410を個人空間100に伝送し駐留させる。商品情報420の対応した商品レッテル421と商品レッテル422は、ユーザーレッテル101又はユーザーレッテル102と比べて、相違が大きいため、検索モジュール200は、互いに論理上のマッチング関係が存在しないことを判断し、つまり商品情報420が向けた消費需要と個人空間100におけるユーザーレッテルに陳述した消費需要と当てはまらないので、そのため当該商品情報420を飛ばしてしまう。商店情報510の対応した商店レッテル511とユーザーレッテル101とは全くマッチングする、又は商店レッテル512とユーザーレッテル102との類似性が高いものとすると、検索モジュール200は、商店情報510が向けた消費需要と個人空間100におけるユーザーレッテルに陳述した消費需要と当てはまることを判断し、そして商店情報510を個人空間100に伝送し駐留させる。上記説明の通り、図3に示した個人空間100の中に、それの対応した買い手ユーザーの消費需要に合った商品情報410及び商店情報510が駐留されていた。
【００４３】
インターネット取引プラットフォームが正常に運行した後、データベース300に保存された商品情報又は商店情報のデータが日増しに増加するに従って、検索モジュール200の更によくある動作方法は、まずユーザーレッテルとマッチングする商品レッテル/商店レッテルを検索し出して、それからマッチングした当該商品レッテル/商店レッテルにある索引によって更に進んでそれの対応した商品情報/商店情報を探し出す。図2と図3に示した方法プロセスは意味を示す役割だけで、検索モジュール200の具体的な検索方法に対して限定するわけではない。
【００４４】
商品情報/商店情報の対応する商品レッテル/商店レッテルをどのように生成したのかを更によく説明するために、図4を参照してください。図4の中で商品情報410を例にしてそれの対応した商品レッテル411と412の生成方法を説明した。その中、商品レッテル411は当該商品情報410を提供した売り手ユーザーが自分で定義して生成する。典型的に、前記売り手ユーザーが当該商品情報410をアップロードする同時に、キーワード「一歳ベビー」を入力して相応する商品レッテル411を生成する。典型的に、商品レッテル412は、前記売り手ユーザー、インターネット取引プラットフォームのバックグランドプログラム、又は一つ/複数の買い手ユーザーが一つのレッテル413を選んでマッピングしてなるのである（選択的に、商品レッテル412の生成が売り手ユーザーの最終授権が必要とする）。好ましいのは、レッテル413のあるレッテル集合内には、複数の個人空間100、複数の商品情報400と複数商店情報500において対応する多種類型のレッテルの中の人気レッテルを含んでいる。
【００４５】
一方、本発明はまたインターネット取引プラットフォームを提供する。図5を参照してください。図5は本発明によるインターネット取引プラットフォームの一つの具体的な実施方法の構造示し図である。この部分で出た術語と一部のプロセスは、前文に記載した相関方法の実施例における関係部分の説明を参照できる。当該インターネット取引プラットフォーム900は、
【００４６】
買い手ユーザーが定義した少なくとも一つのユーザーレッテルを発表し駐留するのに用いる個人空間910とを含む。一つ一つのユーザーレッテルに含まれた情報は買い手ユーザーの消費需要を陳述するのに用いる。また、
【００４７】
商品情報及び当該商品情報の対応した少なくとも一つの商品レッテルを保存するのに用いるデータベース930とを含む。前記商品レッテルに含まれた情報は前記商品情報の対応した消費需要を陳述するのに用いる。更に、
【００４８】
前記データベース930の中から前記個人空間910に保存されたユーザーレッテルとマッチングした商品レッテル及びそれの対応した商品情報を検索し、そして当該商品情報を前記個人空間910に伝送し駐留させるのに用いる検索モジュール920とを含む。
【００４９】
典型的に、前記インターネット取引プラットフォーム900は、マルチプラットフォームとして使用しやすいB/S枠組み又はC/S枠組みに実施し、B/S枠組みに実施するのが好ましい。そして上記構成に基づき、当該インターネット取引プラットフォーム900における各部分を設計し運行する。上記各部分の間はインターネット/広域ネットワークを通じて通信を行う。B/S枠組みにおいて、前記個人空間910の形はWeb形式に設計し、ユーザーは各種類の端末から当該個人空間910が対応するWebページにアクセスし、そして当該のWebページにおけるインタラクティブインタフェースを通じてインタラクションを行う。通常では、当該Webページは端末におけるブラウザによって、ユーザーに友好的なデータ表示インターフェース及びインタラクションインターフェースを提供するように解析し運行される。前記端末は、Windowsオペレーティングシステム、Linuxオペレーティングシステム又はMacOSをインストールしたパソコン端末を含んでいるが、それだけでは限らない。選択的に、前記インターネット取引プラットフォーム900は、またC/S枠組みに実施できる。前記個人空間910の形はユーザー端末で解析し運行できるページ形に設計される。前記ユーザー端末はモバイル端末又はマルチメディア端末内にインストールされる。その中、前記モバイル端末は、例えば、Symbian、WindowsMobile、iOS、Android、Maemo、WebOS、PalmOS又はBlackberryOSなど端末オペレーティングシステムをインストールした知能端末である。前記マルチメディアは、例えばインターネットテレビなどである。
【００５０】
前記データベース930は公知技術で実現できる。一つの実施例の中で、当該データベース930は前記インターネット取引プラットフォーム900内に集積するが、もう一つの実施例の中で、当該データベース930はインターネットに分布した複数のデータベースシステムから組成する。
【００５１】
好ましいのは、前記データベース930にまた商店情報及び当該商店情報が対応する商店レッテルを少なくとも一つ保存する。前記商店レッテルに含まれた情報は当該商店が向けた消費需要を陳述するのに用いる。前記検索モジュール920はまた前記データベース930から前記個人空間910に保存されたユーザーレッテルにマッチングした商店レッテル及びそれに対応した商店情報を検索し、そして当該商店情報を前記個人空間910に伝送し駐留する。
【００５２】
一つの実施例の中で、前記商品情報又は前記商店情報の源は売り手ユーザーがアップロードしたデータによって生成し、前記売り手ユーザーが調達使用するように、前記データベース930は相応のアップロードインターフェース（Webページの形に設計してよい）を提供し、前記データをアップロードする。同時に、選択的に、前記商品情報又は前記商店情報は売り手ユーザーがアップロードしたデータによって生成された後、当該インターネット取引プラットフォームの利用者（売り手ユーザー、買い手ユーザー又はプラットフォーム管理員などを含む）が一つ又は複数の前記ユーザーレッテルを一つ又は複数の前記商品レッテル又は前記商店レッテルにマッピングする。又は前記商品レッテル又は前記商店レッテルが売り手ユーザーの定義によって生成される。この設計方法の利点は、売り手ユーザーが自由的にそのアップロードした商品情報又は商店情報が向ける消費需要（前記商品レッテル又は前記商店レッテルをカスタマイズすることを通して）を定義できるし、当該インターネット取引プラットフォーム900の利用者から商品情報又は商店情報が向ける消費需要を完全し精確させることもできる。前記個人空間に前記買い手ユーザーに示した商品情報又は商店情報をもっと正確にするように、前記検索モジュールを更に精確にマッチングさせるのに便宜を図る。特に指摘したいのは、前記商品レッテル又は前記商店レッテルの形成は一回性わけではなく、前記インターネット取引プラットフォーム900内のデータ量とアクセス量の増大に従って時間上では離散的に形成するのである。
【００５３】
前記買い手ユーザーが前記商品情報が対応する商品の取引情況を把握するのに便宜を図るため、前記商品情報は、商品の種類、名称、特徴、ブランド、価格、在庫量、割引情報、サプライヤー、写真、ビデオ、相関サイトリンク、歴史取引記録、消費者評価、又は他の当該商品取引属性を示すデータ又はその組合せを含んでいる。それに応じて、前記買い手ユーザーが前記商店情報の対応する商店の取引情況を把握するのに便宜を図るため、前記商店情報は、商店の住所、通信方式、説明文面、写真、ビデオ、相関サイトリンク、消費者評価、又は他の当該商品取引属性を示すデータ又はその組合せを含んでいる。
【００５４】
次は図6を参照してください。図6は本発明によるインターネット取引プラットフォームの一つの好ましい具体実施方式の構造示し図である。その中、当該インターネット取引プラットフォーム900中の個人空間910、検索モジュール920とデータベース930の機能は既に前文で説明したので、ここで再び陳述しないものとする。
【００５５】
図５に示す具体的な実施方式に対して、好ましいのは、本具体的な実施方式が提供するンターネット取引プラットフォームはまた注文書モジュール940を含み、前記個人空間910内に駐留した商品情報によって注文書を生成し、そして当該個人空間910の対応する買い手ユーザーの操作によって前記注文書を処理する、又は当該注文書を第三者取引システムに転送し処理する。例えばインターネットを通して前記注文書を他の電子商取引プラットフォームの提供した注文書処理サーバー820に転送し処理してもらう。
【００５６】
通常、インターネット取引プラットフォーム900は複数の買い手ユーザーに向けてサーバーを提供する機能を持っている。従ってそれが複数の個人空間910を含んでいる。選択的に、インターネット取引プラットフォーム900はまた社交構築モジュール950を含み、複数の前記個人空間910を社交プラットフォーム960に組み合わるのに用いる。複数の前記個人空間910の間にその保存データを共有する。複数の前記個人空間910を社交プラットフォーム960に組み合わせた後、一つ一つ前記個人空間910は前記商品情報又は前記商店情報を表示する役割を持つだけではなく、インターネットコミュニティ社交の機能を持っている。典型的に、当該個人空間は個人情報保存ユニット912を含み、それに対応した買い手ユーザーがアップロードした個性化情報を保存するのに用いる。前記個性化情報は、文字、写真、ビデオ、音声、リンク又は他のインターネット社交機能の実現に用いるマルチメディア電子データの中の一種又は多種を含んで、前記買い手ユーザーが前記個人空間910で個性化装飾をし、インターネット社交をする需要を満たすようにする。その具体的な設計方法は現行技術の中で社交インターネットサービスの解決方案を参照できる。例えば、社交圏、趣味グループなどを提供する。前記社交プラットフォーム960において、それぞれの個人空間910の間はお互いに保存のデータを共有するため、前記個人空間910に対する編集と情報秘密保守の需要を考え、好ましいのは、当該個人空間910に編集ユニット911を含み、前記個性化情報と/又は前記個人空間910に駐留したユーザーレッテル、商品情報又は商店情報を編集又は削除するのに用いて、また、前記個性化情報と/又は前記個人空間910内に駐留したユーザーレッテル、商品情報又は商店情報に対するアクセス権限を修正するのに用いる。その他、当該個人空間910はまた転送ユニット913を含み、当該個人空間910内に駐留する商品情報/商店情報を他の前記個人空間910又は公共ページに転送し、現行社交サイトにある「シェア」機能を参照する。上記の設計は複数の前記個人空間910の間で情報交換に対して便宜を図っている。典型的な応用場面としては、個人空間Aの買い手ユーザーAが一組のユーザーレッテルを発表した後、その同一社交圏の友達買い手ユーザーBが当該組のユーザーレッテルをアクセスし、個人空間Bの転送機能を通して適当な商品情報又は商店情報を個人空間A又は前記社交圏の公共情報発表ページに送信し、買い手ユーザーAが中から役立つ情報を選び出すのに便宜を図る。全体的に言えば、前記社交プラットフォーム960の創立は当該社交プラットフォーム960に含まれた個人空間910が更に正確に効率よく役立つ商品情報又は商店情報を獲得するのに寄与し、役立つ情報検索にかかる平均時間を減らした。
【００５７】
更に好ましいのは、インターネット取引プラットフォーム900はクロールモジュール970を含み、インターネットからデータをクローリングするのに用い、そして当該データによって、前記商品情報と/又は前記商店情報を生成する。典型的に、当該クロールモジュール970内は爬虫プログラムを運行するサーバーに実施する。インターネットを通じて他の電子商取引プラットフォームの複数のデータサーバー810にアクセスすることで、そのアクセス者に公開したシリーズ商品/商店相関データを獲得する。前記商品情報/前記商店情報を生成するのに用いる。クロールモジュール970を設計する利点は、前記商品情報と/又は前記商店情報のデータ源を拡張することにある。前記インターネット取引プラットフォーム900が他の電子商取引システムとデータ共有とドッキングをするのに便宜を図る。
【００５８】
選択的に、インターネット取引プラットフォーム900はまた統計モジュール980を含み、前記ユーザーレッテル、前記商品レッテルと前記商店レッテルを収集するのに用いて、そしてその中から人気ユーザーレッテル、人気商品レッテルと人気商店レッテルを統計する。例えば、前記ユーザーレッテル、商品レッテルと前記商店レッテルのある注目度によってスクリーニングする。前記注目度は、例えば前記ユーザーレッテル、商品レッテルと前記商店レッテルのクリック回数、関連商品/商店数量又はその購買成約率、発表頻度などである。このような「人気レッテル」の統計は、前記ユーザーレッテル、前記商品レッテルと前記商店レッテルの具体内容を規範するのに役立つことで、前記商品情報又は前記商店情報の検索成功率を増加するのに役立っている。上記の前提に基づき、前記買い手ユーザーが前記ユーザーレッテルを定義する時、直接人気ユーザーレッテル、人気商品レッテルと人気商店レッテルから要求に合う部分を選んで前記ユーザーレッテルとすることができる。
【００５９】
好ましい実施例の中で、インターネット取引プラットフォーム900における各部分はコンピュータープログラム製品に実施する。上記コンピュータープログラム製品の実施例はコンピューターの可読情報に用いる如何なる記録媒体を使用して実現できる。前記記録媒体は磁気媒体、光媒体又は他の適当な媒体を含む。前記コンピュータープログラム製品の実施例を独立した物理設備に運行できるだけでなく、共同動作の幾つの物理設備に運行できる。これでインターネット取引プラットフォーム900における各部分に持っている機能及び相互間の論理的関係を実現する。
【００６０】
本発明が提供するインターネット取引プラットフォーム及びその処理方法は、「レッテル化」技術手段の利用を通して買い手ユーザーの消費需要と具体商品を陳述し、そして前記「レッテル化」技術手段の利用を通して具体的な商品の索引と検索を行い、買い手ユーザーが提出した模糊消費需要によって最適結果をフィードバックし、散らばった個人検索に対して迅速且つ正確のマッチング結果を提供する。
【００６１】
本発明が提供するインターネット取引プラットフォームに用いる処理方法はプログラマブルロジックデバイスを使って実現できるし、コンピュータプログラムソフトに実施できる。例えば、本発明による実施例はコンピュータプログラム製品にすることができる。当該プログラム製品を運行してコンピュータに示した方法を執行させる。前記コンピュータプログラム製品はコンピュータ可読記憶媒体を含む。当該媒体にコンピュータプログラムロジック又はコード部分を含み、上記方法の各ステップを実現するのに用いられる。前記コンピュータ可読性記憶媒体はコンピュータに搭載される内蔵媒体にすることができるし、又はコンピュータ主体から解体できるリムーバブルメディア（例えばホットプラグ技術記憶装置）にすることもできる。前記内蔵媒体は再書込み可能の不揮発性記憶装置を含んでいるが、それとは限らない。例えばRAM、ROM、フラッシュメモリとハードディスク。前記リムーバブルメディアは、光学記憶媒体（例えばCD-ROMとDVD）、光磁気記憶媒体（例えばMO）、磁気記憶媒体（例えばテープ又はポータブルハードディスク）、内蔵で再書込み可能の不揮発性記憶装置の媒体（例えばメモリーカード）と内蔵ROMの媒体（例えばROM箱）を含んでいるが、それとは限らない。
【００６２】
本分野の技術者は理解すべきなのは、如何なる適切なプログラミング装置を持つコンピュータシステムはすべてプログラム製品に含まれた本発明の方法の諸ステップを実行することができる。本願書に記載した多くの具体的な実施方法はすべてソフトウェアに重点を置いたが、ファームウエアとハードウエアとして本発明の提供する方法を実現する代わりの実施例が同様に本発明の請求保護範囲内に含まれている。
【００６３】
本分野の技術者にとって、本発明は以上の手本に示す実施例の細部に限らないことが明らかである。その上に本発明の精神又は基本特徴と乖離しない情況の下で、他の具体的な形式で本発明を実現することができる。そのため、どの点から見るにしても、すべて実施例を例示的なもので、制限的なものではないと見なすべきである。本発明の範囲は請求項に限定され、上述の説明に限定されない。そのため、それは請求項に入る同等内容の意味と範囲内のすべての変化を本発明内に包括させることを目指している。請求項中の如何なる図印を制限に関わる請求項だと見なしてはならない。その外に、「含む（備える）」という言葉は他の部品、ユニット又はステップを排除しなく、単数は複数を排除しないものとする。システム請求項の中に述べる複数の部品、ユニット又は装置も１つの部品、ユニット又は装置によって、ソフトウェア又はハードウエアを通じて実現することができる。
【００６４】
以上掲示されたのはただ本発明のより良い実施例だけで、もちろんこれによって、本発明の請求範囲を制限することはできなく、そのため、本発明の請求項権利によって行った同等変化は、依然として本発明に包括された範囲に属する。 
【図１】
2015520443.tif 000003
【図５】
2015520443.tif 000004
【図２】
2015520443.tif 000005
【図３】
2015520443.tif 000006
【図４】
2015520443.tif 000007
【図６】
2015520443.tif 000008
【国際調査報告】
2015520443.tif 000009
2015520443.tif 000010
2015520443.tif 000011
2015520443.tif 000012
2015520443.tif 000013
2015520443.tif 000014